(57)【要約】【課題】電子マネーをチャージするべき時期を、容易に認識させる。【解決手段】電子マネーシステム１は、非接触ICカード３１に記録された電子マネーの決済後の残高が、予め設定された警告金額未満であるときに、電子マネーの残高が警告金額未満であることを所定の警告音によって警告する警告処理に用いる警告情報を設定する入金装置３２、及び警告処理を行うPOSレジスタ３３からなり、入金装置３２は、警告情報を、非接触ICカード３１に設定し、POSレジスタ３３は、非接触ICカード３１から警告情報を取得し、その警告情報を用いて、警告処理を行う。本発明は、例えば、電子マネーを用いた決済を行う電子マネーシステムに適用できる。【選択図】図１
2009098928.tif 000002
【特許請求の範囲】
【請求項１】
記録媒体に記録された電子マネーの決済後の残高が、予め設定された警告金額未満であるときに、前記電子マネーの残高が前記警告金額未満であることを所定の警告音によって警告する警告処理を行う情報処理装置において、
前記警告処理に用いる警告情報を記録する前記記録媒体から、前記警告情報を取得する取得手段と、
前記警告情報を用いて、前記警告処理を行う警告処理手段と
を備える情報処理装置。
【請求項２】
前記記録媒体は、前記警告情報として、前記警告金額を記録し、
前記警告処理手段は、
前記電子マネーの残高が、前記警告金額未満であるかを判定する判定手段と、
前記判定手段により、前記電子マネーの残高が、前記警告金額未満であると判定されたとき、前記警告を行う警告手段と
を有する
請求項１に記載の情報処理装置。
【請求項３】
前記記録媒体は、前記警告情報として、前記所定の警告音を表す警告出力情報をさらに記録し、
前記警告手段は、前記警告として、前記警告出力情報が表す前記所定の警告音を出力する
請求項２に記載の情報処理装置。
【請求項４】
記録媒体に記録された電子マネーの決済後の残高が、予め設定された警告金額未満であるときに、前記電子マネーの残高が前記警告金額未満であることを所定の警告音によって警告する警告処理を行う情報処理装置の情報処理方法において、
前記警告処理に用いる警告情報を記録する前記記録媒体から、前記警告情報を取得し、
前記警告情報を用いて、前記警告処理を行う
ステップを含む情報処理方法。
【請求項５】
記録媒体に記録された電子マネーの決済後の残高が、予め設定された警告金額未満であるときに、前記電子マネーの残高が前記警告金額未満であることを所定の警告音によって警告する警告処理を行う情報処理装置として、コンピュータを機能させるプログラムにおいて、
前記警告処理に用いる警告情報を記録する前記記録媒体から、前記警告情報を取得する取得手段と、
前記警告情報を用いて、前記警告処理を行う警告処理手段と
して、コンピュータを機能させるプログラム。
【請求項６】
記録媒体に記録された電子マネーの決済後の残高が、予め設定された警告金額未満であるときに、前記電子マネーの残高が前記警告金額未満であることを所定の警告音によって警告する警告処理に用いる警告情報を設定する情報処理装置において、
前記ユーザが操作する操作部の操作に応じて、前記警告情報を、前記記録媒体に設定する警告設定手段
を備える情報処理装置。
【請求項７】
前記警告設定手段は、前記警告情報として、前記警告金額を設定する
請求項６に記載の情報処理装置。
【請求項８】
前記警告設定手段は、前記警告情報として、前記所定の警告音を表す警告出力情報をさらに設定し、
前記警告として、前記警告出力情報が表す前記所定の警告音が出力される
請求項７に記載の情報処理装置。
【請求項９】
記録媒体に記録された電子マネーの決済後の残高が、予め設定された警告金額未満であるときに、前記電子マネーの残高が前記警告金額未満であることを所定の警告音によって警告する警告処理に用いる警告情報を設定する情報処理装置の情報処理方法において、
前記ユーザが操作する操作部の操作に応じて、前記警告情報を、前記記録媒体に設定する
ステップを含む情報処理方法。
【請求項１０】
記録媒体に記録された電子マネーの決済後の残高が、予め設定された警告金額未満であるときに、前記電子マネーの残高が前記警告金額未満であることを所定の警告音によって警告する警告処理に用いる警告情報を設定する情報処理装置として、コンピュータを機能させるプログラムにおいて、
前記ユーザが操作する操作部の操作に応じて、前記警告情報を、前記記録媒体に設定する警告設定手段
として、コンピュータを機能させるプログラム。
【請求項１１】
電子マネーが記録される記録媒体において、
前記記録媒体に記録された電子マネーの決済後の残高が、予め設定された警告金額未満であるときに、前記電子マネーの残高が前記警告金額未満であることを所定の警告音によって警告する警告処理に用いる警告情報を設定する設定装置からの指令に従い、前記警告情報を記録する記録手段
を備える記録媒体。
【請求項１２】
前記記録手段は、前記警告情報として、前記警告金額を記録する
請求項１１に記載の記録媒体。
【請求項１３】
前記記録手段は、前記警告情報として、前記所定の警告音を表す警告出力情報を、さらに記録し、
前記警告として、前記警告出力情報が表す前記所定の警告音が出力される
請求項１２に記載の記録媒体。
【請求項１４】
前記警告処理を行う警告処理装置からの指令に従い、前記警告情報を読み出す読み出し手段をさらに備える
請求項１１に記載の記録媒体。
【請求項１５】
記録媒体に記録された電子マネーの決済後の残高が、予め設定された警告金額未満であるときに、前記電子マネーの残高が前記警告金額未満であることを所定の警告音によって警告する警告処理に用いる警告情報を設定する設定装置、及び前記警告処理を行う警告処理装置からなる電子マネーシステムにおいて、
前記設定装置は、
前記ユーザが操作する操作部の操作に応じて、前記警告情報を、前記記録媒体に設定する警告設定手段
を備え、
前記警告処理装置は、
前記記録媒体から前記警告情報を取得する取得手段と、
前記警告情報を用いて、前記警告処理を行う警告処理手段と
を備える電子マネーシステム。
【発明の詳細な説明】
【技術分野】
【０００１】
本発明は、電子マネーシステム、情報処理装置、情報処理方法、及びプログラムに関し、特に、例えば、ユーザが、電子マネーをチャージ（入金）するべき時期を、容易に認識することができるようにした電子マネーシステム、情報処理装置、情報処理方法、及びプログラムに関する。
【背景技術】
【０００２】
近年、非接触通信を行うIC(Integrated Circuit)カード（ICチップを含む）に電子マネーをチャージし、そのチャージされた電子マネーを用いて、商品やサービスの代金の支払いをすることが普及しつつある。
【０００３】
代金の支払いには、ICカードを店舗等に設置された決済用の決済端末（リーダライタ）にかざすことによって行われ、代金の支払い（決済）に成功した場合、決済端末においては、支払いの成功を示す効果音がスピーカから出力されるとともに、代金の支払い後の電子マネーの金額（残高）がモニタに表示される。
【０００４】
なお、代金の支払いに失敗した場合、即ち、例えば、ICカードに記録（チャージ）されている電子マネーの金額が代金に満たない場合、決済端末では、支払いの失敗を示す効果音がスピーカから出力される。
【０００５】
また、特許文献１には、カード３００による決済が適切に行われた場合、スピーカ５６０から、決済完了を表す音を出力し、エラーの場合は、何も音を発生させないか、または決済完了のときとは異なる所定の音をスピーカ５６０から出力する自動販売機５００が記載されている（例えば、特許文献１の[００１８]段落）。
【特許文献１】特開２００６−３１１８２号公報
【発明の開示】
【発明が解決しようとする課題】
【０００６】
ユーザは、例えば、電子マネーによる代金の支払いが成功したときに、決済端末のモニタに表示される電子マネーの金額を確認することにより、ICカードの電子マネーの残高を認識することができる。
【０００７】
従って、ユーザは、モニタに表示される金額を確認し忘れてしまった場合には、残高が少なくなっていることに気づかず、次回の代金の支払いに失敗することがある。
【０００８】
本発明は、このような状況に鑑みてなされたものであり、ユーザが、電子マネーをチャージするべき時期を、容易に認識することができるようにするものである。
【課題を解決するための手段】
【０００９】
本発明の第１の側面の情報処理装置、又はプログラムは、記録媒体に記録された電子マネーの決済後の残高が、予め設定された警告金額未満であるときに、前記電子マネーの残高が前記警告金額未満であることを所定の警告音によって警告する警告処理を行う情報処理装置、又は記録媒体に記録された電子マネーの決済後の残高が、予め設定された警告金額未満であるときに、前記電子マネーの残高が前記警告金額未満であることを所定の警告音によって警告する警告処理を行う情報処理装置として、コンピュータを機能させるプログラムであり、前記警告処理に用いる警告情報を記録する前記記録媒体から、前記警告情報を取得する取得手段と、前記警告情報を用いて、前記警告処理を行う警告処理手段とを備える情報処理装置、又は情報処理装置として、コンピュータを機能させるプログラムである。
【００１０】
前記記録媒体は、前記警告情報として、前記警告金額を記録し、前記警告処理手段では、前記電子マネーの残高が、前記警告金額未満であるかを判定する判定手段と、前記判定手段により、前記電子マネーの残高が、前記警告金額未満であると判定されたとき、前記警告を行う警告手段とを設けることができる。
【００１１】
前記記録媒体は、前記警告情報として、前記所定の警告音を表す警告出力情報をさらに記録し、前記警告手段では、前記警告として、前記警告出力情報が表す前記所定の警告音を出力することができる。
【００１２】
本発明の第１の側面の情報処理方法は、記録媒体に記録された電子マネーの決済後の残高が、予め設定された警告金額未満であるときに、前記電子マネーの残高が前記警告金額未満であることを所定の警告音によって警告する警告処理を行う情報処理装置の情報処理方法であり、前記警告処理に用いる警告情報を記録する前記記録媒体から、前記警告情報を取得し、前記警告情報を用いて、前記警告処理を行うステップを含む。
【００１３】
本発明の一側面においては、電子マネーの決済後の残高が、予め設定された警告金額未満であるときに、電子マネーの残高が警告金額未満であることを所定の警告音によって警告する警告処理に用いる警告情報を記録する記録媒体から、前記警告情報が取得され、その警告情報を用いて、警告処理が行われる。
【００１４】
本発明の第２の側面の情報処理装置、又はプログラムは、記録媒体に記録された電子マネーの決済後の残高が、予め設定された警告金額未満であるときに、前記電子マネーの残高が前記警告金額未満であることを所定の警告音によって警告する警告処理に用いる警告情報を設定する情報処理装置、又は記録媒体に記録された電子マネーの決済後の残高が、予め設定された警告金額未満であるときに、前記電子マネーの残高が前記警告金額未満であることを所定の警告音によって警告する警告処理に用いる警告情報を設定する情報処理装置として、コンピュータを機能させるプログラムであり、前記ユーザが操作する操作部の操作に応じて、前記警告情報を、前記記録媒体に設定する警告設定手段を備える情報処理装置、又は情報処理装置として、コンピュータを機能させるプログラムである。
【００１５】
前記警告設定手段では、前記警告情報として、前記警告金額を設定することができる。
【００１６】
前記警告設定手段では、前記警告情報として、前記所定の警告音を表す警告出力情報をさらに設定することができ、前記警告として、前記警告出力情報が表す前記所定の警告音を出力することができる。
【００１７】
本発明の第２の側面の情報処理方法は、記録媒体に記録された電子マネーの決済後の残高が、予め設定された警告金額未満であるときに、前記電子マネーの残高が前記警告金額未満であることを所定の警告音によって警告する警告処理に用いる警告情報を設定する情報処理装置の情報処理方法であり、前記ユーザが操作する操作部の操作に応じて、前記警告情報を、前記記録媒体に設定するステップを含む。
【００１８】
本発明の第２の側面においては、ユーザが操作する操作部の操作に応じて、記録媒体に記録された電子マネーの決済後の残高が、予め設定された警告金額未満であるときに、前記電子マネーの残高が前記警告金額未満であることを所定の警告音によって警告する警告処理に用いる警告情報が、前記記録媒体に設定される。
【００１９】
本発明の第３の側面の記録媒体は、電子マネーが記録される記録媒体であり、前記記録媒体に記録された電子マネーの決済後の残高が、予め設定された警告金額未満であるときに、前記電子マネーの残高が前記警告金額未満であることを所定の警告音によって警告する警告処理に用いる警告情報を設定する設定装置からの指令に従い、前記警告情報を記録する記録手段を備える。
【００２０】
前記記録手段には、前記警告情報として、前記警告金額を記録させることができる。
【００２１】
前記記録手段には、前記警告情報として、前記所定の警告音を表す警告出力情報を、さらに記録させることができ、前記警告として、前記警告出力情報が表す前記所定の警告音を出力することができる。
【００２２】
本発明の第３の側面の記録媒体には、前記警告処理を行う警告処理装置からの指令に従い、前記警告情報を読み出す読み出し手段をさらに設けることができる。
【００２３】
本発明の第３の側面においては、記録媒体に記録された電子マネーの決済後の残高が、予め設定された警告金額未満であるときに、前記電子マネーの残高が前記警告金額未満であることを所定の警告音によって警告する警告処理に用いる警告情報を設定する設定装置からの指令に従い、前記警告情報が記録される。
【００２４】
本発明の第４の側面の電子マネーシステムは、記録媒体に記録された電子マネーの決済後の残高が、予め設定された警告金額未満であるときに、前記電子マネーの残高が前記警告金額未満であることを所定の警告音によって警告する警告処理に用いる警告情報を設定する設定装置、及び前記警告処理を行う警告処理装置からなる電子マネーシステムであり、前記設定装置は、前記ユーザが操作する操作部の操作に応じて、前記警告情報を、前記記録媒体に設定する警告設定手段を備え、前記警告処理装置は、前記記録媒体から前記警告情報を取得する取得手段と、前記警告情報を用いて、前記警告処理を行う警告処理手段とを備える。
【００２５】
本発明の第４の側面においては、記録媒体に記録された電子マネーの決済後の残高が、予め設定された警告金額未満であるときに、前記電子マネーの残高が前記警告金額未満であることを所定の警告音によって警告する警告処理に用いる警告情報を設定する設定装置により、ユーザが操作する操作部の操作に応じて、前記警告情報が、前記記録媒体に設定され、前記警告処理を行う警告処理装置により、前記記録媒体から前記警告情報が取得され、前記警告情報を用いて、前記警告処理が行われる。
【発明の効果】
【００２６】
本発明によれば、ユーザが、電子マネーをチャージするべき時期を、容易に認識することができる。
【発明を実施するための最良の形態】
【００２７】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２８】
本発明の第１の側面の情報処理装置、又はプログラムは、
記録媒体（例えば、図２の記録装置６１）に記録された電子マネーの決済後の残高が、予め設定された警告金額未満であるときに、前記電子マネーの残高が前記警告金額未満であることを所定の警告音によって警告する警告処理を行う情報処理装置（例えば、図１のPOSレジスタ３３）、又は記録媒体に記録された電子マネーの決済後の残高が、予め設定された警告金額未満であるときに、前記電子マネーの残高が前記警告金額未満であることを所定の警告音によって警告する警告処理を行う情報処理装置として、コンピュータを機能させるプログラムであり、
前記警告処理に用いる警告情報を記録する前記記録媒体から、前記警告情報を取得する取得手段（例えば、図１３のステップＳ７１の処理を実行する図８の制御部１６５）と、
前記警告情報を用いて、前記警告処理を行う警告処理手段（例えば、図１３のステップＳ７８乃至ステップＳ８０の処理を実行する図８の制御部１６５）と
を備える情報処理装置、又は情報処理装置として、コンピュータを機能させるプログラムである。
【００２９】
前記記録媒体は、前記警告情報として、前記警告金額を記録し、
前記警告処理手段は、
前記電子マネーの残高が、前記警告金額未満であるかを判定する判定手段（例えば、図１３のステップＳ７８の処理を実行する図８の制御部１６５）と、
前記判定手段により、前記電子マネーの残高が、前記警告金額未満であると判定されたとき、前記警告を行う警告手段（例えば、図１３のステップＳ７９の処理を実行する図８の制御部１６５）と
を設けることができる。
【００３０】
本発明の第１の側面の情報処理方法は、
記録媒体（例えば、図２の記録装置６１）に記録された電子マネーの決済後の残高が、予め設定された警告金額未満であるときに、前記電子マネーの残高が前記警告金額未満であることを所定の警告音によって警告する警告処理を行う情報処理装置（例えば、図１のPOSレジスタ３３）の情報処理方法であり、
前記警告処理に用いる警告情報を記録する前記記録媒体から、前記警告情報を取得し（例えば、図１３のステップＳ７１）、
前記警告情報を用いて、前記警告処理を行う（例えば、図１３のステップＳ７８乃至ステップＳ８０）
ステップを含む。
【００３１】
本発明の第２の側面の情報処理装置、又はプログラムは、
記録媒体（例えば、図２の記録装置６１）に記録された電子マネーの決済後の残高が、予め設定された警告金額未満であるときに、前記電子マネーの残高が前記警告金額未満であることを所定の警告音によって警告する警告処理に用いる警告情報を設定する情報処理装置（例えば、図１の入金装置３２）、又は記録媒体に記録された電子マネーの決済後の残高が、予め設定された警告金額未満であるときに、前記電子マネーの残高が前記警告金額未満であることを所定の警告音によって警告する警告処理に用いる警告情報を設定する情報処理装置であり、
前記ユーザが操作する操作部の操作に応じて、前記警告情報を、前記記録媒体に設定する警告設定手段（例えば、図１１のステップＳ３９の処理を実行する図３の制御部９６）
を備える情報処理装置、又は情報処理装置として、コンピュータを機能させるプログラムである。
【００３２】
本発明の第２の側面の情報処理方法は、
記録媒体（例えば、図２の記録装置６１）に記録された電子マネーの決済後の残高が、予め設定された警告金額未満であるときに、前記電子マネーの残高が前記警告金額未満であることを所定の警告音によって警告する警告処理に用いる警告情報を設定する情報処理装置（例えば、図１の入金装置３２）の情報処理方法であり、
前記ユーザが操作する操作部の操作に応じて、前記警告情報を、前記記録媒体に設定する（例えば、図１１のステップＳ３９）
ステップを含む。
【００３３】
本発明の第３の側面の記録媒体は、
電子マネーが記録される記録媒体（例えば、図１の非接触ICカード３１）であり、
前記記録媒体に記録された電子マネーの決済後の残高が、予め設定された警告金額未満であるときに、前記電子マネーの残高が前記警告金額未満であることを所定の警告音によって警告する警告処理に用いる警告情報を設定する設定装置（例えば、図１の入金装置３２）からの指令に従い、前記警告情報を記録する記録手段（例えば、図２の記録装置６１）
を備える。
【００３４】
前記警告処理を行う警告処理装置（例えば、図１のPOSレジスタ３３）からの指令に従い、前記警告情報を読み出す読み出し手段（例えば、図１２のステップＳ５１の処理を実行する図２の制御装置６２）をさらに設けることができる。
【００３５】
本発明の第４の側面の電子マネーシステムは、
記録媒体（例えば、図２の記録装置６１）に記録された電子マネーの決済後の残高が、予め設定された警告金額未満であるときに、前記電子マネーの残高が前記警告金額未満であることを所定の警告音によって警告する警告処理に用いる警告情報を設定する設定装置（例えば、図１の入金装置３２）、及び前記警告処理を行う警告処理装置（例えば、図１のPOSレジスタ３３）からなる電子マネーシステムであり、
前記設定装置は、
前記ユーザが操作する操作部の操作に応じて、前記警告情報を、前記記録媒体に設定する警告設定手段（例えば、図１１のステップＳ３９の処理を実行する図３の制御部９６）
を備え、
前記警告処理装置は、
前記記録媒体から前記警告情報を取得する取得手段（例えば、図１３のステップＳ７１の処理を実行する図８の制御部１６５）と、
前記警告情報を用いて、前記警告処理を行う警告処理手段（例えば、図１３のステップＳ７８乃至ステップＳ８０の処理を実行する図８の制御部１６５）と
を備える。
【００３６】
次に、図面を参照して、本発明の実施の形態について説明する。
【００３７】
図１は、本発明を適用した電子マネーシステムの一実施の形態の構成例を示している。
【００３８】
図１の電子マネーシステム１は、非接触IC(Integrated Circuit)カード３１、入金装置３２、POS(Point Of Sales)レジスタ３３、ネットワーク３４、及び電子マネー運用センタ１１により管理される電子マネー管理サーバ３５により構成される。
【００３９】
非接触ICカード３１には、電子マネーが記録される。また、非接触ICカード３１には、電子マネーの決済後の残高が、予め設定された警告金額未満であるときに、電子マネーの残高が警告金額未満であることを所定の警告音によって警告する警告処理に用いる警告情報が記録される。
【００４０】
非接触ICカード３１は、電磁波を利用した、いわゆる非接触通信を、入金装置３２やPOSシステム３３との間で行い、これにより、非接触ICカード３１への電子マネーの記録（電子マネーのチャージや、決済後の電子マネーの残高の記録等）や、警告情報の記録等が行われる。
【００４１】
入金装置３２（設置装置）は、例えば商品等を販売する店舗に設置されており、ユーザの非接触ICカード３１に電子マネーをチャージするとき、及び警告情報を非接触ICカード３１に記録するときに、ユーザにより操作される。
【００４２】
入金装置３２は、そこに近接される非接触ICカード３１との間で非接触通信を行うことにより、非接触ICカード３１に対して、電子マネーのチャージ、又は電子マネーのチャージ及び警告情報の設定を行う。
【００４３】
また、入金装置３２は、電子マネーのチャージが行われたとき、非接触ICカード３１にチャージされた電子マネーの金額や、チャージされた時期、チャージに用いられた入金装置３２が設置されている店舗などを表す入金情報を生成し、ネットワーク３４を介して、電子マネー管理サーバ３５に送信する。
【００４４】
POSレジスタ３３（警告処理装置）は、例えば商品等を販売する店舗に設置されており、ユーザが店舗で所定の商品を購入し、電子マネーを用いて決済を行うときに、店舗の販売員により操作される。
【００４５】
POSレジスタ３３は、そこに近接される非接触ICカード３１との間で非接触通信を行うことにより、非接触ICカード３１との間で電子マネーを用いた決済、及び決済後の電子マネーの残高についての警告処理を行う。
【００４６】
また、POSレジスタ３３は、電子マネーを用いた決済が行われたとき、電子マネーを用いた決済により支払われた電子マネーの金額や、支払われた時期、支払いに用いられたPOSレジスタ３３が設置されている店舗などの支払情報を生成し、ネットワーク３４を介して、電子マネー管理サーバ３５に送信する。
【００４７】
ネットワーク３４は、例えばインターネット網やLAN（local area network）等により構成され、入金装置３２、POSレジスタ３３、及び電子マネー管理サーバ３５を互いに接続する。
【００４８】
電子マネー管理サーバ３５は、電子マネー運用センタ１１により管理されており、入金装置３２からネットワーク３４を介して供給される入金情報、及びPOSレジスタ３３からネットワーク３４を介して供給される支払情報を、電子マネーのチャージ及び支払いに関する履歴情報として記録する。
【００４９】
電子マネー運用センタ１１は、電子マネー管理サーバ３５に記録された履歴情報を用いて、例えば、電子マネーによる決済がされた店舗に実際に支払う現金の金額の算定や、電子マネーのチャージが不正に行われていないかどうかの監視を行う。
【００５０】
図２は、図１の非接触ICカード３１の構成例を示すブロック図である。
【００５１】
非接触ICカード３１は、記録装置６１、制御装置６２及びアンテナ６３により構成される。
【００５２】
記録装置６１は、制御装置６２の制御に従い、警告情報としての、例えば、所定の警告音を表す警告出力情報及び警告金額、並びに電子マネーなどのデータを記録する。
【００５３】
制御装置６２は、アンテナ６３から供給される所定の処理を指令するコマンドに従い、各種の処理を行う。即ち、例えば、制御装置６２は、アンテナ６３からのデータを、記録装置６１に供給して記録させる。また、制御装置６２は、記録装置６１に記録されたデータを読み出し、アンテナ６３に供給して、入金装置３２又はPOSレジスタ３３に送信させる。
【００５４】
アンテナ６３は、入金装置３２又はPOSレジスタ３３からのコマンドやデータを受信し、制御装置６２に供給する。また、アンテナ６３は、制御装置６２からのデータを、入金装置３２又はPOSレジスタ３３に送信する。
【００５５】
図３は、図１の入金装置３２の構成例を示すブロック図である。
【００５６】
入金装置３２は、読み書き装置９１、表示装置９２、スピーカ９３、印字装置９４、現金読取格納装置９５、制御部９６、操作部９７及び通信部９８により構成される。
【００５７】
読み書き装置９１は、例えばリーダライタであり、非接触ICカード３１と通信することにより、非接触ICカード３１（の記録装置６１）からデータを読み出して制御部９６に供給するとともに、制御部９６からのデータを非接触ICカード３１に書き込む。
【００５８】
即ち、読み書き装置９１は、非接触ICカード３１に記録されたデータの読み出しを指示する読み出しコマンドを送信することにより、非接触ICカード３１に記録されたデータの読み出しを行う。また、読み書き装置９１は、非接触ICカード３１に書き込むデータを、書き込みを指示する書き込みコマンドとともに送信することにより、非接触ICカード３１にデータを書き込む。
【００５９】
表示装置９２は、例えばLCD(Liquid Crystal Display)などのモニタであり、制御部９６から供給される画像データに対応する画像を表示する。
【００６０】
スピーカ９３は、制御部９６から供給される音声データに対応する音声を出力する。即ち、例えば、スピーカ９３は、ユーザが、電子マネーのチャージや警告情報の設定を行うときの入金装置３２の操作方法などを音声により出力する。
【００６１】
印字装置９４は、例えばプリンタなどであり、電子マネーのチャージに用いた現金の領収書などを印字する。
【００６２】
現金読取格納装置９５には、ユーザにより現金が投入される投入口が外部に設けられており、その投入口に投入された現金を格納する筐体が内蔵されている。現金読取格納装置９５は、投入口に投入された現金の投入金額を検知し、その投入金額を制御部９６に供給するとともに、現金を筐体に格納する。
【００６３】
制御部９６は、読み書き装置９１、表示装置９２、スピーカ９３、印字装置９４、現金読取格納装置９５、及び通信部９８を制御する。
【００６４】
制御部９６は、読み書き装置９１からのデータや、操作部９７からの操作信号、現金読取格納装置９５からの投入金額に応じて、各種の処理を行う。
【００６５】
即ち、例えば、制御部９６は、読み出しコマンドや、書き込みコマンドを読み書き装置９１に供給する。
【００６６】
また、制御部９６は、例えば、電子マネー管理サーバ３５あてに送信する入金情報を生成し、通信部９８に供給する。
【００６７】
操作部９７は、例えば、テンキーや、十字キーなどのボタンにより構成されており、ユーザにより操作される。例えばユーザにより操作部９７が操作されると、操作部９７は、その操作に応じた操作信号を制御部９６に供給する。
【００６８】
なお、操作部９７は、タッチパネル等によって、表示装置９２と一体的に構成することができる。
【００６９】
通信部９８は、制御部９６から供給された入金情報を、ネットワーク３４を介して、電子マネー管理サーバ３５に送信する。
【００７０】
図４乃至図７を参照して、図３の入金装置３２の処理を説明する。
【００７１】
ユーザが、非接触ICカード３１を、入金装置３２の読み書き装置９１に近接させ、非接触ICカード３１に電子マネーをチャージするように操作部９７を操作すると、入金装置３２の表示装置９２には、図４に示すように入金金額選択画面が表示される。
【００７２】
図４は、表示装置９２に表示される入金金額選択画面の表示例を示す図である。
【００７３】
図４の入金金額選択画面において、左上側には、ユーザの非接触ICカード３１に記録されている電子マネーの金額（以下、ユーザの所持金額ともいう）を表すメッセージ「所持金額\14,500」が表示される。
【００７４】
また、入金金額選択画面の下側には、ユーザによりチャージ可能な入金金額「\1,000」、「\5,000」、「\10,000」、「\15,000」、「\20,000」及び「\25,000」のボタンが表示される。
【００７５】
入金金額選択画面において、ユーザが、例えば、入金金額「\20,000」のボタンを操作すると、表示装置９２では、図４の入金金額選択画面に代えて、図５の紙幣投入画面が表示される。
【００７６】
図５は、表示装置９２に表示される紙幣投入画面の表示例を示す図である。
【００７７】
図５の紙幣投入画面には、紙幣の投入を促すメッセージ「紙幣を投入してください」、投入すべき入金金額「\20,000」、ユーザの所持金額「\14,500」、及び入金金額「\20,000」をチャージした後のユーザの所持金額（入金後の所持金額）「\34,500」（\14,500+\20,000）が表示される。
【００７８】
表示装置９２に、紙幣投入画面が表示されている状態において、ユーザが入金装置３２の現金読取格納装置９５に入金金額「\20,000」を投入すると、表示装置９２では、図５の紙幣投入画面に代えて、図６の設定選択画面が表示される。
【００７９】
図６は、表示装置９２に表示される設定選択画面の表示例を示す図である。
【００８０】
図６の設定選択画面には、警告処理を行うかどうかを問い合わせるメッセージ「残高が少なくなったとき、警告音を鳴らす設定をしますか？」、警告処理を行う設定をするときに操作される「はい」ボタン、及び警告処理を行わない設定をするときに操作される「いいえ（入金）」ボタンが表示される。
【００８１】
設定選択画面において、「いいえ（入金）」ボタンが操作されると、制御部９６は、電子マネーの記録を指令するコマンドを、読み書き装置９１を介して、非接触ICカード３１に送信する。これにより、非接触ICカード３１では、紙幣投入画面で表示された入金後の所持金額「\34,500」の電子マネーが記録される。
【００８２】
また、設定選択画面において、「はい」ボタンが操作されたとき、表示装置９２では、図５の設定選択画面に代えて、図７の警告設定画面が表示される。
【００８３】
図７は、表示装置９２に表示される警告設定画面の表示例を示す図である。
【００８４】
図７の警告設定画面は、警告金額の指定に用いる警告金額設定ボタンＢ１としての「\1,000」、「\2,000」、「\5,000」、及び「\10,000」のボタン、電子マネーの残高が警告金額未満であるときに出力する警告音の指定に用いる警告音設定ボタンとしての「残高の音声案内」ボタンＢ２１、「アラーム１」ボタンＢ２２、及び「アラーム２」ボタンＢ２３、スピーカボタンＢ２２１及びＢ２３１、並びに「この設定で入金」ボタンＢ３１及び「戻る」ボタンＢ３２が表示される。
【００８５】
警告金額設定ボタンＢ１としての、「\1,000」、「\2,000」、「\5,000」、及び「\10,000」のボタンは、警告金額を、\1,000、\2,000、\5,000、及び\10,000に指定するときに、それぞれ操作される。
【００８６】
「残高の音声案内」ボタンＢ２１は、警告音として、電子マネーの残高を案内する（知らせる）音声を指定するときに操作される。「アラーム１」ボタンＢ２２は、警告音として、第１の電子音を指定するときに操作される。「アラーム２」ボタンＢ２３は、警告音として、第１の電子音と異なる第２の電子音を指定するときに操作される。
【００８７】
スピーカボタンＢ２２１は、「アラーム１」ボタンＢ２２が操作されることにより指定される第１の電子音を視聴するときに操作され、スピーカボタンＢ２３１は、「アラーム２」ボタンＢ２３が操作されることにより指定される第２の電子音を視聴するときに操作される。視聴のための第１及び第２の電子音は、スピーカ９３（図３）から出力される。
【００８８】
「この設定で入金」ボタンＢ３１は、警告金額設定ボタンＢ１が操作されることによって指定された警告金額と、「残高の音声案内」ボタンＢ２１乃至「アラーム２」ボタンＢ２３のうちのいずれかが操作されることによって指定された警告音を表す警告出力情報とを、非接触ICカード３１に設定するときに操作される。
【００８９】
即ち、ユーザが、警告金額設定ボタンＢ１を操作することによって警告金額を指定するとともに、「残高の音声案内」ボタンＢ２１乃至「アラーム２」ボタンＢ２３のうちのいずれかを操作することによって警告音を指定した後に、「この設定で入金」ボタンＢ３１を操作すると、制御部９６は、警告金額設定ボタンＢ１の操作によって指定された警告金額、及び「残高の音声案内」ボタンＢ２１乃至「アラーム２」ボタンＢ２３のうちのいずれかの操作によって指定された警告音を表す警告出力情報を含む警告情報の記録と、電子マネーの記録とを指令する書き込みコマンドを、読み書き装置９１を介して、非接触ICカード３１に送信する。
【００９０】
これにより、非接触ICカード３１では、警告情報と、設定選択画面（図５）で表示された入金後の所持金額「\34,500」の電子マネーとが記録される。
【００９１】
なお、警告設定画面において、「戻る」ボタンＢ３２が操作されると、表示装置９２には、図７の警告設定画面に代えて、図６の設定選択画面が表示される。
【００９２】
図８は、図１のPOSレジスタ３３の構成例を示すブロック図である。
【００９３】
POSレジスタ３３は、読み書き装置１６１、表示装置１６２、スピーカ１６３、印字装置１６４、制御部１６５、操作部１６６及び通信部１６７により構成される。
【００９４】
読み書き装置１６１は、例えばリーダライタであり、図３の読み書き装置９１と同様に、非接触ICカード３１からデータを読み出して制御部１６５に供給するとともに、制御部１６５からのデータを非接触ICカード３１に書き込む。
【００９５】
表示装置１６２は、例えばLCDなどのモニタであり、制御部１６５から供給される画像データに対応する画像を表示する。即ち、例えば、表示装置１６２は、電子マネーの決済後の残高を表示する。
【００９６】
スピーカ１６３は、制御部１６５から供給される音声データが表す音声を出力する。即ち、例えば、スピーカ１６３は、電子マネーの決済が失敗したことを表すエラー音や、電子マネーの決済が成功したことを表す支払音、電子マネーの残高が警告金額未満であることを表す警告音を出力する。なお、警告音は、エラー音、及び支払音のいずれとも異なる音である。
【００９７】
印字装置１６４は、例えばプリンタであり、ユーザが購入した商品の代金の支払いの領収書などを印字する。
【００９８】
制御部１６５は、読み書き装置１６１、表示装置１６２、スピーカ１６３、印字装置１６４、及び通信部１６７を制御する。
【００９９】
また、制御部１６５は、読み書き装置１６１からのデータや、操作部１６６からの操作信号に応じて、各種の処理を行う。
【０１００】
即ち、例えば、制御部１６５は、読み出しコマンドや書き込みコマンドを読み書き装置１６１に供給する。
【０１０１】
また、例えば、制御部１６５は、電子マネー管理サーバ３５あてに送信する支払情報を生成し、通信部１６７に供給する。
【０１０２】
操作部１６６は、例えば、テンキーや、十字キーなどのボタンにより構成されており、ユーザにより操作される。例えばユーザにより操作部１６６が操作されると、操作部１６６は、その操作に応じた操作信号を制御部１６５に供給する。
【０１０３】
通信部１６７は、制御部１６５から供給される支払情報を、ネットワーク３４を介して、電子マネー管理サーバ３５に供給する。
【０１０４】
図９は、図１の電子マネー管理サーバ３５の構成例を示すブロック図である。
【０１０５】
電子マネー管理サーバ３５は、入金システム２３１、支払システム２３２及び履歴記録部２３３により構成される。
【０１０６】
入金システム２３１には、入金装置３２からネットワーク３４を介して入金情報が供給される。入金システム２３１は、そこに供給される入金情報を履歴記録部２３３に供給して記録させる。
【０１０７】
支払システム２３２には、POSレジスタ３３からネットワーク３４を介して支払情報が供給される。支払システム２３２は、そこに供給される支払情報を履歴記録部２３３に供給して記録させる。
【０１０８】
履歴記録部２３３は、入金システム２３１からの入金情報、及び支払システム２３２からの支払情報を、非接触ICカード毎に分けて記録する。これにより、履歴記録部２３３には、非接触ICカード３１にチャージされた入金金額や、非接触ICカード３１の電子マネーを用いた決済により支払われた金額についての履歴情報が記録される。
【０１０９】
次に、図１０及び図１１のフローチャートを参照して、非接触ICカード３１に対して、電子マネーのチャージを行うチャージ設定処理を説明する。
【０１１０】
チャージ設定処理は、非接触ICカード３１と入金装置３２とが行う処理であり、非接触ICカード３１が行う非接触ICカード側チャージ設定処理と、入金装置３２が行う入金装置側チャージ設定処理とがある。
【０１１１】
なお、チャージ設定処理は、例えばユーザが、非接触ICカード３１を、入金装置３２の読み書き装置９１に近接させるとともに、非接触ICカード３１に電子マネーをチャージするように、操作部９７を操作したときに開始される。
【０１１２】
図１０のフローチャートを参照して、非接触ICカード３１が行う非接触ICカード側チャージ設定処理を説明する。
【０１１３】
ステップＳ３１において、非接触ICカード３１（図２）の制御装置６２は、入金装置３２からアンテナ６３を介して、電子マネーの読み出しを要求する読み出しコマンドが送信されてくるのを待って、その読み出しコマンドを受信する。
【０１１４】
制御装置６２は、読み出しコマンドに従い、記録装置６１に記録された電子マネーを読み出し、処理は、ステップＳ１１からステップＳ１２に進む。ステップＳ１２において、制御装置６２は、記録装置６１から読み出し電子マネーを、電磁波を利用して、図１の入金装置３２にアンテナ６３を介して送信し、処理は、ステップＳ１３に進む。
【０１１５】
ステップＳ１３では、制御装置６２は、入金装置３２からアンテナ６３を介して、非接触ICカード３１に書き込む書き込みデータとしての、電子マネー、又は電子マネーと警告情報とともに、書き込みコマンドが送信されてくるのを待って、その書き込みデータ及び書き込みコマンドを受信して、処理は、ステップＳ１４に進む。
【０１１６】
ステップＳ１４において、制御装置６２は、入金装置３２からの書き込みコマンドに従い、同じく入金装置３２からの書き込みデータを記録装置６１に供給して、上書きする形で記録させて、処理は、終了する。
【０１１７】
次に、図１１のフローチャートを参照して、図３の入金装置３２が行う入金装置側チャージ設定処理を説明する。
【０１１８】
ステップＳ３１において、制御部９６は、読み書き装置９１を介して、非接触ICカード３１に、電子マネーの読み出しを要求する読み出しコマンドを送信する。これにより、図１０のステップＳ１２では、非接触ICカード３１から入金装置３２に対して、記録装置６１に記録された電子マネーが送信される。
【０１１９】
制御部９６は、ステップＳ３１において、非接触ICカード３１から送信されてくる電子マネーを読み書き装置９１を介して受信し、処理は、ステップＳ３２に進む。
【０１２０】
ステップＳ３２において、制御部９６は、読み書き装置９１からの電子マネーに基づいて、図４の入金金額選択画面を生成し、表示装置９２に供給して表示させる。
【０１２１】
ユーザが、図４の入金金額選択画面に表示された入金金額を選択するように操作部９７を操作すると、操作部９７は、その操作に応じた操作信号を制御部９６に供給する。
【０１２２】
処理は、ステップＳ３２からステップＳ３３に進み、制御部９６は、操作部９７からの操作信号に基づいて、図５の紙幣投入画面を生成し、表示装置９２に供給して表示させる。
【０１２３】
表示装置９２に表示された紙幣投入画面により現金の投入を促されることにより、ユーザが、現金読取格納装置９５に現金を投入すると、現金読取格納装置９５は、そこに投入された現金の投入金額を検知し、制御部９６に供給する。
【０１２４】
現金読取格納装置９５からの投入金額が、少なくともチャージする入金金額分の金額である場合、処理は、ステップＳ３３からステップＳ３４に進み、制御部９６は、図６の設定選択画面を生成し、表示装置９２に供給して表示させて、処理は、ステップＳ３５に進む。
【０１２５】
ステップＳ３５において、制御部９６は、操作部９７から操作信号が供給されるのを待って、その操作信号に基づき、即ち、図６の設定選択画面の「はい」ボタン又は「いいえ（入金）」ボタンのうちのいずれが操作されたかを判定する。
【０１２６】
ステップＳ３５において、「いいえ（入金）」ボタンが操作されたと判定された場合、処理は、ステップＳ３６に進み、制御部９６は、図５の紙幣投入画面に表示された入金後の所持金額の電子マネーを、非接触ICカード３１に書き込む書き込みデータとして、その書き込みデータ、及び書き込みコマンドを、読み書き装置９１を介して、非接触ICカード３１に送信して、処理は、ステップＳ４０に進む。
【０１２７】
ここで、ステップＳ３６で送信された書き込みデータとしての入金後の所持金額の電子マネーは、非接触ICカード３１において、図１０のステップＳ１３で受信され、ステップＳ１４で書き込まれる（記録装置６１（図２）に記録される）。
【０１２８】
一方、ステップＳ３５において、設定選択操作がされたと判定された場合、即ち、図６の「はい」ボタンが操作されたと判定された場合、処理は、ステップＳ３７に進み、制御部９６は、図７の警告設定画面を生成し、表示装置９２に供給して表示させて、処理は、ステップＳ３８に進む。
【０１２９】
ステップＳ３８において、制御部９６は、警告設定操作がされたか否かを判定する。
【０１３０】
ステップＳ３８において、警告設定操作がされていないと判定された場合、即ち、図７の「戻る」ボタンＢ３２が操作された場合、処理は、ステップＳ３４に戻り、以下、同様の処理を繰り返す。
【０１３１】
一方、ステップＳ３８において、警告設定操作がされたと判定された場合、即ち、図７の警告金額設定ボタンＢ１が操作されることにより、警告金額が指定されるとともに、「残高の音声案内」ボタンＢ２１乃至「アラーム２」ボタンＢ２３のうちのいずれかが操作されることにより、警告音が指定され、その後、「この設定で入金」ボタンＢ３１が操作された場合、処理は、ステップＳ３９に進み、制御部９６は、図５の紙幣投入画面に表示された入金後の所持金額の電子マネー、並びに、警告情報としての、図７の警告設定画面の警告金額設定ボタンＢ１が操作されることにより指定された警告金額、及び「残高の音声案内」ボタンＢ２１乃至「アラーム２」ボタンＢ２３のうちのいずれかが操作されることにより指定された警告音を表す警告出力情報を、書き込みデータとして、その書き込みデータ、及び書き込みコマンドを、
読み書き装置９１を介して、非接触ICカード３１に送信して、処理は、ステップＳ４０に進む。
【０１３２】
ここで、ステップＳ３９で送信された書き込みデータとしての入金後の所持金額の電子マネー、及び警告情報は、非接触ICカード３１において、図１０のステップＳ１３で受信され、ステップＳ１４で書き込まれる。
【０１３３】
ステップＳ４０において、制御部９６は、ユーザにより選択された入金金額に基づいて入金情報を生成し、通信部９８及びネットワーク３４を介して電子マネー管理サーバ３５に送信して、処理は、終了する。
【０１３４】
図１０及び図１１を参照して説明した非接触ICカード３１と入金装置３２との間で行われるチャージ設定処理では、非接触ICカード３１に警告情報が設定（記録）されるようにしたので、非接触ICカード３１を用いた決済を行うときには、非接触ICカード３１に設定された警告情報に基づいて、電子マネーの残高が警告金額未満であるときに、エラー音及び支払音のいずれとも異なる警告音を出力することができ、ユーザは、電子マネーをチャージするべき時期を容易に認識することが可能となる。
【０１３５】
次に、図１２及び図１３のフローチャートを参照して、電子マネーを用いた決済を行う決済処理を説明する。
【０１３６】
決済処理は、非接触ICカード３１とPOSレジスタ３３とが行う処理であり、非接触ICカード３１が行う非接触ICカード側決済処理と、POSレジスタ３３が行う、電子マネーの残高についての警告処理を含むPOSレジスタ側決済処理とがある。
【０１３７】
なお、決済処理は、例えば、店舗の販売員が、電子マネーを用いた決済を行うように、操作部１６６を操作した後、ユーザが、非接触ICカード３１を、POSレジスタ３３の読み書き装置１６１に近接させたときに開始される。
【０１３８】
図１２のフローチャートを参照して、非接触ICカード３１が行う非接触ICカード側決済処理を説明する。
【０１３９】
ステップＳ５１において、非接触ICカード３１（図２）の制御装置６２は、POSレジスタ３３からアンテナ６３を介して、電子マネー及び警告情報の読み出しを要求する読み出しコマンドが供給されてくるのを待って、その読み出しコマンドを受信する。
【０１４０】
制御装置６２は、読み出しコマンドに従い、記録装置６１に記録された電子マネー及び警告情報を読み出し、処理は、ステップＳ５１からステップＳ５２に進む。ステップＳ５２において、制御装置６２は、記録装置６１から読み出した警告情報及び電子マネーを、電磁波を利用して、図１のPOSレジスタ３３にアンテナ６３を介して送信し、処理は、ステップＳ５３に進む。
【０１４１】
ステップＳ５３において、制御装置６２は、POSレジスタ３３からアンテナ６３を介して、非接触ICカード３１に書き込む書き込みデータとしての決済後の電子マネーとともに、書き込みコマンドが送信されてくるのを待って、その決済後の電子マネー及び書き込みコマンドを受信して、処理は、ステップＳ５４に進む。
【０１４２】
ステップＳ５４において、制御装置６２は、POSレジスタ３３からの書き込みコマンドに従い、同じくPOSレジスタ３３からの決済後の電子マネーを記録装置６１に供給して、上書きする形で記録させ、処理は終了する。
【０１４３】
なお、ステップＳ５２の処理の終了後、即ち、POSレジスタ３３が行うPOSレジスタ側決済処理において、所定の時間内に決済後の電子マネー、及び書き込みコマンドが送信されない場合、即ち、電子マネーを用いた決済が失敗した場合、処理は、ステップＳ５３及びステップＳ５４をスキップして終了する。
【０１４４】
次に、図１３のフローチャートを参照して、POSレジスタ３３が行うPOSレジスタ側決済処理を説明する。
【０１４５】
ステップＳ７１において、制御部１６５は、読み書き装置１６１を介して、非接触ICカード３１に、電子マネー及び警告情報の読み出しを要求する読み出しコマンドを送信する。これにより、図１２のステップＳ５２では、非接触ICカード３１からPOSレジスタ３３の読み書き装置１６１に対して、記録装置６１に記録された電子マネー及び警告情報が送信される。
【０１４６】
制御部１６５は、ステップＳ７１において、非接触ICカード３１から送信されてくる警告情報及び電子マネーを読み書き装置１６１を介して受信し、処理は、ステップＳ７２に進む。
【０１４７】
ステップＳ７２において、制御部１６５は、商品を販売する販売員により操作される操作部１６６からの操作信号が供給されるのを待って、その操作信号に基づき、ユーザが電子マネーを用いて決済をする商品の支払金額を検知して、処理は、ステップＳ７３に進む。
【０１４８】
ステップＳ７３において、制御部１６５は、ステップＳ７１で受信した電子マネーの金額（ユーザの所持金額）が、ステップＳ７２で検知した支払金額より小であるか否かを判定する。
【０１４９】
ステップＳ７３において、ユーザの所持金額が、支払金額より小であると判定された場合、即ち、ユーザの所持金額が不足しているために電子マネーを用いて決済することができない場合、処理は、ステップＳ７４に進み、制御部１６５は、電子マネーを用いた決済が失敗したことを表すエラー音をスピーカ１６３に出力させて、処理は終了する。
【０１５０】
一方、ステップＳ７３において、ユーザの所持金額が、支払金額より小でないと判定された場合、即ち、ユーザの所持金額が充分であるために電子マネーを用いて決済することができる場合、処理は、ステップＳ７５に進み、制御部１６５は、ユーザの所持金額から支払金額を差し引き、その差し引きにより得られる決済後の電子マネーの残高を、表示装置１６２に表示させて、処理は、ステップＳ７６に進む。
【０１５１】
ステップＳ７６において、制御部１６５は、決済後の電子マネーと、書き込みコマンドを、読み書き装置１６１を介して非接触ICカード３１に送信して、処理は、ステップＳ７７に進む。
【０１５２】
ステップＳ７７において、制御部１６５は、ステップＳ７２で検知した支払金額に基づいて支払情報を生成し、通信部１６７、及びネットワーク３４を介して電子マネー管理サーバ３５に送信する。
【０１５３】
その後、処理は、ステップＳ７７からステップＳ７８以下に進み、以下、警告処理が行われる。
【０１５４】
即ち、ステップＳ７８では、制御部１６５は、ステップＳ７５で得られた決済後の電子マネーの残高が、ステップＳ７１で受信した警告情報が含む警告金額未満であるか否かを判定する。ステップＳ７８において、電子マネーの残高が、警告金額未満であると判定されたとき、処理は、ステップＳ７９に進み、制御部１６５は、ステップＳ７１で受信した警告情報が含む警告出力情報に基づいて、その警告出力情報が表す警告音をスピーカ１６３に出力させて、処理は終了する。
【０１５５】
一方、ステップＳ７８において、電子マネーの残高が、警告金額未満でないと判定されたとき、処理は、ステップＳ８０に進み、制御部１６５は、電子マネーを用いた決済が成功したことを表す支払音をスピーカ１６３に出力させて、処理は、終了する。
【０１５６】
図１２及び図１３を参照して説明した非接触ICカード３１とPOSレジスタ３３との間で行われる決済処理では、電子マネーの残高が、警告金額未満であるときに、警告音が出力されるため、ユーザが、電子マネーをチャージするべき時期を、容易に認識することができる。
【０１５７】
即ち、ユーザが、非接触ICカード３１にチャージされた電子マネーの残高が少なくなったことを、表示装置１６２に表示される残高を確認しなくても（確認し忘れても）認識することができる。
【０１５８】
従って、チャージのし忘れによって残高不足となっていることに支払い時に気がつき、その場を一旦離れて電子マネーをチャージしてから、戻って支払いを行うという無駄な手間が生じることを低減することができる。
【０１５９】
なお、非接触ICカード３１には、予め、警告金額のデフォルト値として、例えば、負の値が書き込まれている。従って、図１１の入金装置側チャージ設定処理のステップＳ３９において、非接触ICカード３１に警告情報が書き込まれていない場合には、非接触ICカード３１に設定された警告金額はデフォルト値であることから、ステップＳ７８において、必ず、電子マネーの残高が警告金額未満でないと判定され、ステップＳ８０の処理が行われる（ステップＳ７９の処理は行われない）。
【０１６０】
なお、図１１の入金装置側チャージ設定処理では、ステップＳ３３において、図５の紙幣投入画面を表示させ、入金金額以上の金額が投入されたときに、ステップＳ３４において、図６の設定選択画面を表示させることとしたが、図１４に示すように、入金金額以上の金額が投入されるのを待たずに、図５の紙幣投入画面の他、図６の設定選択画面を表示させるようにしてもよい。
【０１６１】
図１４は、紙幣投入画面と設定選択画面との両方を１の画面として表示した合成画面を示す図である。
【０１６２】
図１４の合成画面の上側には、図５の紙幣投入画面が表示されており、下側には、図６の設定選択画面が表示されている。
【０１６３】
ステップＳ３３及びステップＳ３４では、図１４の合成画面が表示される。
【０１６４】
即ち、ステップＳ３３において、表示装置９２の表示画面には、図１４の合成画面が表示され、入金金額以上の金額が投入されたときに、ステップＳ３４に進むが、表示装置９２の表示画面は、図１４の合成画面のまま変わらない。
【０１６５】
なお、図１１の入金装置側チャージ設定処理において、処理が、ステップＳ３８からステップＳ３４に戻ったとき、ユーザは、ステップＳ３３で表示された紙幣投入画面に促されて、すでに現金を投入しているため、表示装置９２には、現金の投入を促すメッセージを含む図１４の合成画面は表示されずに、図６の設定選択画面が表示される。即ち、図１４の合成画面は、入金装置側チャージ設定処理が開始されて、１回目のステップＳ３３及びステップＳ３４の処理において表示される。
【０１６６】
上述した非接触ICカード側チャージ設定処理（図１０）、入金装置側チャージ設定処理（図１１）、非接触ICカード側決済処理（図１２）、及びPOSレジスタ側決済処理（図１３）は、専用のハードウエアにより実行させることもできるし、ソフトウエアにより実行させることもできる。非接触ICカード側チャージ設定処理、入金装置側チャージ設定処理、非接触ICカード側決済処理、及びPOSレジスタ側決済処理をソフトウエアにより実行させる場合には、そのソフトウエアを構成するプログラムが、専用のハードウエアに組み込まれているコンピュータ、又は、各種のプログラムをインストールすることで、各種の機能を実行することが可能な、例えば汎用のパーソナルコンピュータなどに、プログラム記録媒体からインストールされる。
【０１６７】
図１５は、プログラムを実行することにより、上述した非接触ICカード側チャージ設定処理、入金装置側チャージ設定処理、非接触ICカード側決済処理、及びPOSレジスタ側決済処理それぞれを行う図２の制御装置６２、図３の制御部９６、及び図８の制御部１６５としてのコンピュータの構成例を示すブロック図である。
【０１６８】
CPU(Central Processing Unit)９０１は、ROM(Read Only Memory)９０２、又は記録部９０６に記録されているプログラムに従って各種の処理を実行する。RAM(Random Access Memory)９０３には、CPU９０１が実行するプログラムやデータなどが適宜記録される。これらのCPU９０１、ROM９０２、及びRAM９０３は、バス９０４により相互に接続されている。
【０１６９】
CPU９０１にはまた、バス９０４を介して入出力インタフェース９０５が接続されている。
【０１７０】
入出力インタフェース９０５に接続されている記録部９０６は、例えばハードディスクからなり、CPU９０１が実行するプログラムや各種のデータを記録する。
【０１７１】
入出力インタフェース９０５に接続されているドライブ９０７は、磁気ディスク、光ディスク、光磁気ディスク、或いは半導体メモリなどのリムーバブルメディア９０８が装着されたとき、それらを駆動し、そこに記録されているプログラムやデータなどを取得する。取得されたプログラムやデータは、必要に応じて記録部９０６に転送され、記録される。
【０１７２】
コンピュータにインストールされ、コンピュータによって実行可能な状態とされるプログラムを格納するプログラム記録媒体は、図１５に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア９０８、又は、プログラムが一時的もしくは永続的に格納されるROM９０２や、記録部９０６を構成するハードディスクなどにより構成される。プログラム記録媒体へのプログラムの格納は、必要に応じてルータ、モデムなどのインタフェースを介して、ローカルエリアネットワーク、インターネット、デジタル衛星放送といった、有線又は無線の通信媒体を利用して行われる。
【０１７３】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１７４】
また、本明細書において、システムとは、複数の装置により構成される装置全体を表すものである。
【０１７５】
なお、POSレジスタ側決済処理（図１３）では、電子マネーの決済後の電子マネーの残高が警告金額未満である場合には、必ず警告音を出力することとしたが、例えば、電子マネーの残高が警告金額未満であるときに行う警告音の出力は所定の回数に制限するように設定することができる。この設定により、例えば、ユーザが、電子マネーの残高が警告金額未満であることを認識しているにも関わらず、電子マネーの決済毎に警告音が出力されることが続くことを回避することができる。
【０１７６】
なお、この設定は、例えば、入金装置３２を操作するユーザにより、警告情報として非接触ICカード３１に記録される。
【０１７７】
また、上記実施の形態では、１個の警告金額を設定することとしたが、例えば、金額の異なる複数の警告金額を設定するようにしてもよい。即ち、例えば、２個の警告金額Ｘ及びＹ（Ｘ＞Ｙ）を設定した場合、電子マネーの残高が、警告金額Ｘ未満であり、かつ、警告金額Ｙ以上であるとき、警告音Ａを出力し、電子マネーの残高が、警告金額Ｙ未満であるときに警告音Ｂを出力することができる。従って、ユーザは、出力される警告音の変化に伴い、記録装置６１に記録されている電子マネーのおおよその金額を知ることができ、電子マネーをチャージする適切な時期が近づいていることを知ることができる。３個以上の警告金額を設定した場合にも同様である。
【０１７８】
さらに、図７において、警告金額を設定する場合に、警告設定画面に表示された４個の固定の警告金額「\1,000」、「\2,000」、「\5,000」及び「\10,000」のうちの１個の警告金額を選択して設定することとしたが、設定される警告金額はこれに限定されるものではなく、例えば、入金装置３２の操作部９７を構成するテンキーなどにより、ユーザが所望する警告金額を設定する構成を採用することができる。
【０１７９】
また、上記実施の形態においては、電子マネー及び警告情報を記録する記録媒体として、非接触ICカード３１を採用することとしたが、例えば、プリペイドカードなどを採用することができる。
【０１８０】
さらに、上記実施の形態においては、警告情報を、非接触ICカード３１に記録させておくこととしたので、複数の非接触ICカード（のユーザ）毎に異なる警告情報を設定することが可能である。なお、警告情報は、非接触ICカード３１に記録させておく他、警告処理を行うPOSレジスタ３３に記録させておくようにしてもよいし、警告情報としての、例えば、警告金額及び警告出力情報のうちの一方を非接触ICカード３１に記録させておき、他方をPOSレジスタ３３に記録させておくようにしてもよい。
【０１８１】
なお、本実施の形態は、上述した実施の形態に限定されるものではなく、本発明の要旨を逸脱しない範囲において種々の変更が可能である。
【図面の簡単な説明】
【０１８２】
【図１】本発明を適用した電子マネーシステムの一実施の形態の構成例を示すブロック図である。
【図２】非接触ICカードの構成例を示すブロック図である。
【図３】入金装置の構成例を示すブロック図である。
【図４】入金金額選択画面の表示例を示す図である。
【図５】紙幣投入画面の表示例を示す図である。
【図６】設定選択画面の表示例を示す図である。
【図７】警告設定画面の表示例を示す図である。
【図８】POSレジスタの構成例を示す図である。
【図９】電子マネー管理サーバの構成例を示すブロック図である。
【図１０】非接触ICカード側チャージ設定処理を説明するフローチャートである。
【図１１】入金装置側チャージ設定処理を説明するフローチャートである。
【図１２】非接触ICカード側決済処理を説明するフローチャートである。
【図１３】POSレジスタ側決済処理を説明するフローチャートである。
【図１４】合成画面の表示例を示す図である。
【図１５】コンピュータの構成例を示すブロック図である。
【符号の説明】
【０１８３】
１  電子マネーシステム，  ３１  非接触ICカード，  ３２  入金装置，  ３３  POSレジスタ，  ３４  ネットワーク，  ６１  記録装置，  ６２  制御装置，  ６３  アンテナ，  ９１  読み書き装置，  ９２  表示装置，  ９３  スピーカ，  ９４  印字装置，  ９５  現金読取格納装置，  ９６  制御部，  ９７  操作部，  ９８  通信部，  １６１  読み書き装置，  １６２  表示装置，  １６３  スピーカ，  １６４  印字装置，  １６５  制御部，  １６６  操作部，  １６７  通信部
【図１】
2009098928.tif 000003
【図２】
2009098928.tif 000004
【図３】
2009098928.tif 000005
【図４】
2009098928.tif 000006
【図５】
2009098928.tif 000007
【図６】
2009098928.tif 000008
【図７】
2009098928.tif 000009
【図８】
2009098928.tif 000010
【図９】
2009098928.tif 000011
【図１０】
2009098928.tif 000012
【図１１】
2009098928.tif 000013
【図１２】
2009098928.tif 000014
【図１３】
2009098928.tif 000015
【図１４】
2009098928.tif 000016
【図１５】
2009098928.tif 000017